(57)【要約】【課題】共通電極のコンタクト抵抗の抵抗値を直接計測することを可能とすることができる電気泳動表示装置などを提供する。【解決手段】共通電極が形成された第１基板と、画素電極が形成され、複数の端子が設けられた第２基板と、前記第１基板と前記第２基板との間に設けられ、粒子および分散媒を含む分散液と、前記複数の前記端子のうちの２以上の前記端子のそれぞれと前記共通電極の異なる点とを電気的に接続する２以上の接続部と、を備える電気泳動表示装置。【選択図】図１
2017111323.tif 000002
【特許請求の範囲】
【請求項１】
共通電極が形成された第１基板と、
画素電極が形成され、複数の端子が設けられた第２基板と、
前記第１基板と前記第２基板との間に設けられ、粒子および分散媒を含む分散液と、
前記複数の前記端子のうちの２以上の前記端子のそれぞれと前記共通電極の異なる点とを電気的に接続する２以上の接続部と、
を備える電気泳動表示装置。
【請求項２】
前記２以上の前記端子のそれぞれと前記共通電極の異なる点のそれぞれとは、それぞれの導電部を介して電気的に接続されており、
前記それぞれの前記導電部は、開口部を有する枠部の前記開口部に配置されている、
請求項１に記載の電気泳動表示装置。
【請求項３】
前記第１基板と前記第２基板との間に隔壁が配置され、前記隔壁で区画された領域に前記分散液が配置されている、
請求項１または請求項２のいずれか１項に記載の電気泳動表示装置。
【請求項４】
前記第１基板と前記第２基板との間に複数個のマイクロカプセルが配置され、前記マイクロカプセルの中に前記分散液が配置されている、
請求項１または請求項２のいずれか１項に記載の電気泳動表示装置。
【請求項５】
前記２以上の前記端子は、少なくとも前記複数の前記端子のうちの両端の２個の前記端子を含む、
請求項１から請求項４のいずれか１項に記載の電気泳動表示装置。
【請求項６】
前記２以上の前記端子の電位は、駆動される際に同じ電位である、
請求項１から請求項５のいずれか１項に記載の電気泳動表示装置。
【請求項７】
請求項１から請求項６のいずれか１項に記載の電気泳動表示装置を備える電子機器。
【発明の詳細な説明】
【技術分野】
【０００１】
本発明は、電気泳動表示装置および電子機器に関する。
【背景技術】
【０００２】
電気泳動を利用した表示装置（電気泳動表示装置）が知られている。電気泳動表示装置は、互いに対向する２個の基板（本明細書では、画素基板および対向基板という。）の間に電気泳動層を有し、当該電気泳動層に存在する分散媒（溶媒）の中で泳動する帯電した粒子（泳動粒子）を電界によって移動させることで表示を行う。当該電界は、２個の基板の間に電位差が与えられることで、発生させられる。また、２個の基板のうちの一方の面（対向基板の面）が表示面となる。また、２個の基板の間に隔壁を設けることで、電気泳動層が複数の領域（セル）に区画される。各領域（セル）は、例えば、画素を構成する。電気泳動表示装置は、電子ペーパーなどの電子機器に適用され得る。電気泳動表示装置は、ＥＰＤ（Ｅｌｅｃｔｒｏｐｈｏｒｅｔｉｃ  Ｄｉｓｐｌａｙ）とも呼ばれる。
【０００３】
電気泳動表示装置の表示パネルの生成過程では、例えば、制御回路を有する画素基板ユニットに、電気泳動層の分散液を保持するための隔壁ユニットを形成して、当該分散液を注入することが行われる。その後、透明電極（共通電極）が形成されたガラス基板（対向基板）により、当該分散液を封止することが行われる。電気泳動表示装置では、画素基板ユニットの制御回路によって、当該画素基板ユニットに形成された画素電極と、共通電極との間の電位を制御することで、表示の内容が制御される。
【０００４】
図１３は、背景技術に係る電気泳動表示装置のＣＯＭ電極部１０２３のコンタクト構造１０１１を示す図である。
図１３には、画素基板（バックプレーンの基板）の画素領域部１０２１と、Ｍ（Ｍは複数の整数である。）個の端子１０２２−１〜１０２２−Ｍと、配線１０２４と、ＣＯＭ電極部１０２３を示してある。
１個の端子１０２２−１とＣＯＭ電極部１０２３とが配線１０２４を介して接続されている。ＣＯＭ電極部１０２３は、対向基板の共通電極（図１３では図示せず）と接続される。
このように、図１３の例に係るコンタクト構造１０１１では、表示パネルの一部に、端子１０２２−１とＣＯＭ電極部１０２３とを接続する部分（コンタクト部分）が形成されている。
【０００５】
なお、電気泳動表示装置では、対向基板が５００［μｍ］程度の高さを有し、隔壁が３０［μｍ］程度の高さを有することから、共通電極のコンタクトを形成する場合、従来の半導体プロセスのようにエッチングでスルーホールを形成してＡＬ（アルミニウム）等の金属をスパッタリングする方法を用いると、製造コスト的に困難である。このため、Ａｇ（銀）ペーストのような導電性のペーストを用いて共通電極のコンタクトを形成することが一般的に行われている。
【０００６】
図１４は、背景技術に係る電気泳動表示装置のＣＯＭ電極部１０２３のコンタクト構造１０１１の等価回路を示す図である。
概略的には、当該等価回路では、所定の電位（ＶＣＯＭ０）のＣＯＭ電極１１０１が配線１１０２を介してコンタクト抵抗（接触抵抗）１１０３と接続されている。また、コンタクト抵抗１１０３の一方の端子の側の点Ｐ１と他方の端子の側の点Ｐ２には、当該コンタクト抵抗１１０３を通過する配線部分と、回路素子を有しない他の配線部分との両方が、並列に接続されている。所定の電位（ＶＣＯＭ０）のＣＯＭ電極１１０１は、図１３に示されるＣＯＭ電極部１０２３のＣＯＭ電極に相当する。
このようなコンタクト構造１０１１では、ＣＯＭ電極部１０２３のコンタクト抵抗１１０３の抵抗値を直接計測（測定）することができない。
【０００７】
ここで、一例として、特許文献１には、表示装置が示されている。当該表示装置では、共通電極と共通電極導通部（ＣＯＭ）との間に導通部材が配置されている（特許文献１の図５を参照）。この構成では、表示パネルを駆動する際に、下側の基板に形成された共通電極導通部（ＣＯＭ）に電圧を印加し、これにより、当該電圧が導通部材を介して共通電極に印加される。この構成では、共通電極のコンタクト抵抗の抵抗値を直接計測することができない。
【先行技術文献】
【特許文献】
【０００８】
【特許文献１】特開２００９−１１５６８６号公報
【発明の概要】
【発明が解決しようとする課題】
【０００９】
上述のように、従来の電気泳動表示装置では、共通電極のコンタクト抵抗の抵抗値を直接計測することができなかった。しかしながら、電気泳動表示装置では、画素電極と共通電極との間の電界を制御して画像を制御するため、コンタクト抵抗の抵抗値は重要なパラメータとなる。このため、コンタクト抵抗の抵抗値を計測することが必要になる場合があった。
例えば、従来では、共通電極の一部の周囲を削り出して当該共通電極のコンタクト部分を露出させて配線し、当該配線の電流値に基づいてコンタクト抵抗の抵抗値を計測するような間接的な計測しかできないという問題があった。量産による生産の安定性を考慮すると、コンタクト抵抗の抵抗値を容易に計測することができる構造が非常に重要となる。
【００１０】
本発明は、前記の点に鑑み為されたものであり、共通電極のコンタクト抵抗の抵抗値を直接計測することを可能とすることができる電気泳動表示装置および電子機器を提供することを目的とする。
【課題を解決するための手段】
【００１１】
上記課題の少なくとも一つを解決するために本発明の一態様は、共通電極が形成された第１基板と、画素電極が形成され、複数の端子が設けられた第２基板と、前記第１基板と前記第２基板との間に設けられ、粒子および分散媒を含む分散液と、前記複数の前記端子のうちの２以上の前記端子のそれぞれと前記共通電極の異なる点とを電気的に接続する２以上の接続部と、を備える電気泳動表示装置である。
この構成により、電気泳動表示装置では、第２基板に設けられた２以上の端子のそれぞれと共通電極の異なる点とを接続部を介して電気的に接続した。これにより、電気泳動表示装置では、共通電極のコンタクト抵抗の抵抗値を直接計測することを可能とすることができる。
【００１２】
また、本発明の一態様は、電気泳動表示装置において、前記２以上の前記端子のそれぞれと前記共通電極の異なる点のそれぞれとは、それぞれの導電部を介して電気的に接続されており、前記それぞれの前記導電部は、開口部を有する枠部の前記開口部に配置されている、構成が用いられてもよい。
この構成により、電気泳動表示装置では、枠部が有する開口部に配置された導電部を介して、第２基板に設けられた２以上の端子のそれぞれと共通電極の異なる点のそれぞれとを電気的に接続した。これにより、電気泳動表示装置では、枠部による強化を図ることができる。
【００１３】
また、本発明の一態様は、電気泳動表示装置において、前記第１基板と前記第２基板との間に隔壁が配置され、前記隔壁で区画された領域に前記分散液が配置されている、構成が用いられてもよい。
この構成により、電気泳動表示装置では、隔壁により複数の領域を区画する。これにより、電気泳動表示装置では、隔壁を備える構造において、共通電極のコンタクト抵抗の抵抗値を直接計測することを可能とすることができる。
【００１４】
また、本発明の一態様は、電気泳動表示装置において、前記第１基板と前記第２基板との間に複数個のマイクロカプセルが配置され、前記マイクロカプセルの中に前記分散液が配置されている、構成が用いられてもよい。
この構成により、電気泳動表示装置では、マイクロカプセルにより複数の領域を区画する。これにより、電気泳動表示装置では、マイクロカプセルを備える構造において、共通電極のコンタクト抵抗の抵抗値を直接計測することを可能とすることができる。
【００１５】
また、本発明の一態様は、電気泳動表示装置において、前記２以上の前記端子は、少なくとも前記複数の前記端子のうちの両端の２個の前記端子を含む、構成が用いられてもよい。
この構成により、電気泳動表示装置では、少なくとも複数の端子のうちの両端の２個の端子を共通電極と電気的に接続した。これにより、電気泳動表示装置では、２以上の端子と共通電極との電気的な接続の構成を簡易化することが可能である。
【００１６】
また、本発明の一態様は、電気泳動表示装置において、前記２以上の前記端子の電位は、駆動される際に同じ電位である、構成が用いられてもよい。
この構成により、電気泳動表示装置では、２以上の端子の電位は、駆動される際に同じ電位である。これにより、電気泳動表示装置では、共通電極のコンタクト抵抗の抵抗値を直接計測することを可能とすることができる。
【００１７】
上記課題の少なくとも一つを解決するために本発明の一態様は、以上のような電気泳動表示装置を備える電子機器である。
この構成により、電子機器では、電気泳動表示装置において、第２基板に設けられた２以上の端子のそれぞれと共通電極の異なる点とを接続部を介して電気的に接続した。これにより、電子機器では、電気泳動表示装置において、共通電極のコンタクト抵抗の抵抗値を直接計測することを可能とすることができる。
【００１８】
以上のように、本発明に係る電気泳動表示装置および電子機器によれば、電気泳動表示装置において、第２基板に設けられた２以上の端子のそれぞれと共通電極の異なる点とを接続部を介して電気的に接続した。これにより、本発明に係る電気泳動表示装置および電子機器では、電気泳動表示装置において、共通電極のコンタクト抵抗の抵抗値を直接計測することを可能とすることができる。
【図面の簡単な説明】
【００１９】
【図１】本発明の一実施形態（第１実施形態）に係る電気泳動表示装置のＣＯＭ電極のコンタクト構造の一例を示す図である。
【図２】本発明の一実施形態（第１実施形態）に係る電気泳動表示装置の構成例を示す断面図である。
【図３】本発明の一実施形態（第１実施形態）に係る電気泳動表示装置のＣＯＭ電極のコンタクト構造に関する構成例を示す断面斜視図である。
【図４】本発明の一実施形態（第１実施形態）に係る電気泳動表示装置のＣＯＭ電極のコンタクト構造に関する構成例を示す分解斜視図である。
【図５】本発明の一実施形態（第１実施形態）に係る隔壁部の構成例を示す図である。
【図６】本発明の一実施形態（第１実施形態）に係る電気泳動表示装置のＣＯＭ電極のコンタクト構造の概略的な等価回路の一例を示す図である。
【図７】本発明の一実施形態（第１実施形態）に係るコンタクト抵抗の抵抗値を計測する等価回路の一例を示す図である。
【図８】本発明の一実施形態（第１実施形態）に係る電気泳動表示装置のＣＯＭ電極の変形例（第１の変形例）を示す図である。
【図９】本発明の一実施形態（第１実施形態）に係る電気泳動表示装置のＣＯＭ電極の変形例（第２の変形例）を示す図である。
【図１０】本発明の一実施形態（第２実施形態の第１の例）に係る電子機器の概略的な構成例を示す図である。
【図１１】本発明の一実施形態（第２実施形態の第２の例）に係る電子機器の概略的な構成例を示す図である。
【図１２】本発明の一実施形態（第２実施形態の第３の例）に係る電子機器の概略的な構成例を示す図である。
【図１３】背景技術に係る電気泳動表示装置のＣＯＭ電極のコンタクト構造を示す図である。
【図１４】背景技術に係る電気泳動表示装置のＣＯＭ電極のコンタクト構造の等価回路を示す図である。
【発明を実施するための形態】
【００２０】
本発明の実施形態について図面を参照して詳細に説明する。
【００２１】
（第１実施形態）
＜ＣＯＭ電極のコンタクト構造の概要＞
図１は、本発明の一実施形態（第１実施形態）に係る電気泳動表示装置のＣＯＭ電極のコンタクト構造１の一例を示す図である。
図１には、画素基板の画素領域部２１と、Ｎ（Ｎは複数の整数である。Ｎは図１３に示されるＭと同じ値であってもよい。）個の端子２２−１〜２２−Ｎと、配線２４−１〜２４−２と、ＣＯＭ電極部２３を示してある。本実施形態では、両端の端子（端子２２−１と端子２２−Ｎ）は、駆動される際に同じ電位になる。
１個の端子２２−１とＣＯＭ電極部２３とが配線２４−１を介して接続されている。また、別の１個の端子２２−ＮとＣＯＭ電極部２３とが別の配線２４−２を介して接続されている。
ＣＯＭ電極部２３は、対向基板の共通電極（図１では図示せず）と接続される。
このように、本実施形態に係るコンタクト構造１では、表示パネルの一部に、２個の端子２２−１、２２−ＮとＣＯＭ電極部２３とを接続する部分（コンタクト部分）が形成されている。
【００２２】
ここで、本実施形態では、複数の画素が形成される領域部分である画素領域部２１を挟んで、互いに対向するところに、複数の端子２２−１〜２２−Ｎと、ＣＯＭ電極部２３とが形成されている。複数の端子２２−１〜２２−Ｎは、所定の領域（電極配置領域）に、直線状に並んでいる。そして、２個の端子（一方の端の端子２２−１および他方の端の端子２２−Ｎ）が、それぞれの配線２４−１、２４−２を介して、ＣＯＭ電極部２３と接続されている。それぞれの配線２４−１〜２４−２は画素領域部２１の外側に形成されており、２個の配線２４−１〜２４−２が画素領域部２１の周囲を（略一周）囲うように配置されている。このように、本実施形態では、コンタクト部分のスペースを小さくしている。
【００２３】
＜電気泳動表示装置の概要＞
図２は、本発明の一実施形態（第１実施形態）に係る電気泳動表示装置（図２の説明において、電気泳動表示装置１１と示す）の構成例を示す断面図である。
電気泳動表示装置１１は、画素基板３１と、画素基板３１に形成された複数の画素電極３２と、画素電極３２を覆うように画素基板３１に形成された絶縁層３３と、画素基板３１と対向する対向基板３４と、対向基板３４に形成された共通電極（対向電極）３５と、画素基板３１と対向基板３４との間の空間を複数の領域（セル）に区画する隔壁３６と、当該領域（セル）に封入される分散媒４１および粒子（泳動粒子）４２、４３を備える。当該領域（セル）は、例えば、画素ごとの領域である。図１に示される画素領域部２１は、当該画素領域部２１の周縁部を含む領域に設けられた封止材（図示せず）によって、画素基板３１と対向基板３４との間に封止されている。当該封止材は、例えば、エポキシ樹脂などを用いて構成される。
【００２４】
ここで、分散媒４１と粒子４２、４３から分散液が構成される。分散液の層により電気泳動層が構成される。本実施形態では、電気泳動表示装置１１は、負に帯電した白に対応する粒子４２と、正に帯電した黒に対応する粒子４３を備えている。なお、粒子の数は１以上の他の数であってもよい。また、各粒子の色は、他の色であってもよい。
画素基板３１と対向基板３４は、互いに対向させられて配置されている。画素基板３１と対向基板３４は、互いに平行に配置されている。本実施形態では、画素基板３１および対向基板３４は、それぞれ、板状の形状を有する。
本実施形態では、共通電極３５は、複数の画素電極３２に対して共通である。
【００２５】
＜ＣＯＭ電極のコンタクト構造の具体例＞
図３は、本発明の一実施形態（第１実施形態）に係る電気泳動表示装置のＣＯＭ電極のコンタクト構造１に関する構成例を示す断面斜視図である。
図４は、本発明の一実施形態（第１実施形態）に係る電気泳動表示装置のＣＯＭ電極のコンタクト構造１に関する構成例を示す分解斜視図である。
図４には、組み立て前の部品として、２個のＣＯＭ電極（接続部）５１−１〜５１−２と、２個の導電部５２−１〜５２−２と、隔壁部５３と、共通電極５４を示してある。図３には、これらの部品が組み立てられた状態を示してある。
【００２６】
ここで、図３および図４に示される構成は、図１に示されるＣＯＭ電極部２３を含む周囲の構成であり、図１に示される画素領域部２１、複数の端子２２−１〜２２−Ｎおよび配線２４−１〜２４−２については、図示を省略してある。また、図２の構成は図１に示される画素領域部２１の周囲以外の構成であり、その周囲に図３および図４に示される構成が備えられる。
【００２７】
なお、図３および図４に示されるＣＯＭ電極５１−１〜５１−２は、図１に示されるＣＯＭ電極部２３を構成する板状の電極である。図３および図４に示される隔壁部５３は、図２に示される隔壁３６を構成する板状のパターンである。図３および図４に示される共通電極５４は、図２に示される共通電極３５を構成する板状の電極である。
【００２８】
それぞれのＣＯＭ電極５１−１〜５１−２は、略正方形状（または、略長方形状でもよい）の部分と、当該部分と端子（図３および図４では、図示せず）とを接続するための部分を有する。本実施形態では、一方のＣＯＭ電極５１−１は図１に示される一方の端子２２−１と接続され、他方のＣＯＭ電極５１−２は図１に示される他方の端子２２−Ｎと接続される。
隔壁部５３は、略長方形状（または、略正方形状でもよい）の部分を有するとともに、当該部分を挟んで互いに対向するところに、それぞれ、略正方形状（または、略長方形状でもよい）の枠の部分（枠部分）を有する。２個の枠部分のそれぞれは、２個のＣＯＭ電極５１−１〜５１−２のそれぞれの略正方形状（または、略長方形状でもよい）の部分と対向させられて配置される。
【００２９】
ここで、本実施形態では、隔壁部５３が枠部分を一体として有する構成例を示してある。例えば、枠部分を有する隔壁部５３が、全体として同じ材料を用いて構成され、全体として同一の処理工程で形成されることが可能である。
図３および図４には、隔壁部５３について、主に枠部分の近辺の部分が示されているが、当該隔壁部５３は当該枠部分と一体となった隔壁３６を構成する部分（図示せず）を有する。
【００３０】
それぞれの導電部５２−１〜５２−２は、２個の枠部分のそれぞれの開口部（枠の穴の部分）と略同じ形状を有する。また、それぞれの導電部５２−１〜５２−２の形状と、それぞれのＣＯＭ電極５１−１〜５１−２の形状とは、略同じ形状となっている。
共通電極５４は、隔壁部５３における少なくとも画素領域の部分（図１に示される画素領域部２１）を覆う形状を有している。なお、共通電極５４は、例えば、隔壁部５３のすべてを覆う形状を有してもよい。
【００３１】
組み立ての過程では、それぞれのＣＯＭ電極５１−１〜５１−２の一方の面（対向基板の側の面）と、それぞれの導電部５２−１〜５２−２の一方の面（画素基板の側の面）とが接触させられて、電気的に導通（導電）させられる。それぞれの導電部５２−１〜５２−２は、隔壁部５３が有する２個の枠部分のそれぞれの開口部に挿入される。それぞれの導電部５２−１〜５２−２の他方の面（対向基板の側の面）と、共通電極５４の一方の面（画素基板の側の面）とが接触させられて、電気的に導通（導電）させられる。
【００３２】
ここで、導電部５２−１、５２−２としては、例えば、形状が固定された導電性の部材が用いられてもよく、または、液状の導電性の物質（本実施形態では、導電剤という）が用いられてもよい。
一例として、導電剤が用いられる場合、導電剤はディスペンサーにより隔壁部５３の枠部分の内側に注入される。本実施形態では、位置の精度を確保するために、ディスペンサーの外形サイズより大きい領域で隔壁を形成する。例えば、ディスペンサーの外形サイズが直径Ｌ３（Ｌ３は正の値）である場合、隔壁の内径の寸法Ｌ１について、Ｌ１＞Ｌ３（または、Ｌ１≧Ｌ３より大きい値）とする。また、導電剤と共通電極５４との接続マージンを確保するために、長さＬ４（Ｌ４は正の値）程度のハミダシを考慮して、それぞれの枠部分と長方形状の部分との間の距離Ｌ２について、Ｌ２≧Ｌ４とする。
【００３３】
図５は、本発明の一実施形態（第１実施形態）に係る隔壁部５３の構成例を示す図である。なお、図５の例では、隔壁部５３について、図３および図４の例と同様な部分を示してある。
図５の例では、隔壁部５３は、長方形状の部分（図５の例では、中央の部分）を有するとともに、当該部分を挟んで互いに対向するところ（図５の例では、左右）に、それぞれ、正方形状の枠の部分（枠部分）を有する。２個の枠部分の形状は同じであり、それぞれの枠部分の開口部を形成する正方形の一辺の長さはＬ１（Ｌ１は正の任意の値）である。また、それぞれの枠部分と長方形状の部分との間の距離（長さ）は同じでありＬ２（Ｌ２は正の任意の値）である。図５の例では、長さＬ１と比べて、長さＬ２は小さく、例えば、１／３、または、１／３．５、または、１／４、または、１／４．５、または、１／５程度である。
【００３４】
図６は、本発明の一実施形態（第１実施形態）に係る電気泳動表示装置のＣＯＭ電極のコンタクト構造１の概略的な等価回路の一例を示す図である。
当該等価回路では、所定の電位（ＶＣＯＭ０）のＣＯＭ電極１０１と所定の電位（ＶＣＯＭ１）のＣＯＭ電極１０２とが、コンタクト抵抗１０４を有する配線１０３を介して接続されている。一方の所定の電位（ＶＣＯＭ０）のＣＯＭ電極１０１は、図４に示される一方のＣＯＭ電極５１−１に相当し、他方の所定の電位（ＶＣＯＭ１）のＣＯＭ電極１０２は、図４に示される他方のＣＯＭ電極５１−２に相当する。
このようなコンタクト構造１では、ＣＯＭ電極部２３のコンタクト抵抗１０４の抵抗値を直接計測（測定）することが可能である。
【００３５】
図７は、本発明の一実施形態（第１実施形態）に係るコンタクト抵抗１５３−１、１５３−２の抵抗値ｒｃ、ｒｃを計測する等価回路の一例を示す図である。
当該等価回路では、電源１７２の一端（例えば、プラスの側）と、電流計１７１と、所定の電位（ＶＣＯＭ０）のＣＯＭ電極１５１と、コンタクト抵抗１５３−１と、共通電極５４のシート抵抗（共通電極シート抵抗）１５４と、コンタクト抵抗１５３−２と、所定の電位（ＶＣＯＭ１）のＣＯＭ電極１５２が直列に接続されており、さらに、所定の電位（ＶＣＯＭ１）のＣＯＭ電極１５２と電源１７２の他端（例えば、マイナスの側）とが接続されている。一方の所定の電位（ＶＣＯＭ０）のＣＯＭ電極１５１は、図４に示される一方のＣＯＭ電極５１−１に相当し、他方の所定の電位（ＶＣＯＭ１）のＣＯＭ電極１５２は、図４に示される他方のＣＯＭ電極５１−２に相当する。
【００３６】
ここで、図７では、図６に示される概略的な等価回路よりも、詳細な等価回路を示してある。
また、電源１７２および電流計１７１は、検査用の器具（本実施形態では、検査用テスターという。）である。本実施形態では、工場において、電気泳動表示装置の表示パネルを作成している途中で、検査用テスターを用いて、ＣＯＭ電極１５１、１５２と共通電極５４とのコンタクト抵抗１５３−１、１５３−２の抵抗値ｒｃ、ｒｃを計測する。これにより、コンタクト抵抗１５３−１、１５３−２の検査を行うことができる。
【００３７】
ここで、コンタクト抵抗１５３−１、１５３−２の抵抗値ｒｃ、ｒｃの算出（計測）の方法の一例を示す。
２個のＣＯＭ電極１５１、１５２に、電流計１７１と電源１７２を接続する。電源１７２に電圧としてＥ（Ｅは任意の値）を印加したときに電流計１７１に流れる電流をＩ（Ｉは任意の値）とする。本実施形態では、２個のコンタクト抵抗１５３−１、１５３−２の抵抗値ｒｃ、ｒｃは同じである。共通電極シート抵抗１５４の抵抗値をｒｓ（ｒｓは０より大きい値）とする。共通電極シート抵抗１５４の抵抗値ｒｓは、そのシートの厚みに基づいて既知であるとする。なお、共通電極５４としては、一般に、ＩＴＯ（Ｉｎｄｉｕｍ  Ｔｈｉｎ  Ｏｘｉｄｅ）が用いられるが、他のものが用いられてもよい。
オームの法則により、式（１）が成立し、これにより、コンタクト抵抗１５３−１、１５３−２の抵抗値ｒｃ、ｒｃを算出することが可能である。このように、２個のＣＯＭ電極１５１、１５２の間の電流Ｉを計測することで、コンタクト抵抗１５３−１、１５３−２の抵抗値ｒｃ、ｒｃを算出することが可能である。
【００３８】
［数１］
Ｅ＝Ｉ×（ｒｃ＋ｒｓ＋ｒｃ）
ｒｃ＝（Ｅ／Ｉ−ｒｓ）／２［Ω］    ・・（１）
【００３９】
このように、本実施形態に係るコンタクト構造１では、複数のＣＯＭ電極１５１〜１５２（図４に示されるＣＯＭ電極５１−１〜５１−２）を備え、これらを導通させない構成により、コンタクト抵抗１５３−１、１５３−２の抵抗値ｒｃ、ｒｃを算出することが可能である。
【００４０】
他の構成例として、電気泳動表示装置（完成品）に、コンタクト抵抗１５３−１、１５３−２の抵抗値ｒｃ、ｒｃを計測するモード（例えば、テストモード）の機能を備えてもよい。この構成では、電気泳動表示装置は、テストモードが起動されていない場合にはＣＯＭ電極１５１〜１５２に電流計１７１および電源１７２を接続しない状態に切り替える一方、テストモードが起動された場合にはＣＯＭ電極１５１〜１５２に電流計１７１および電源１７２を接続する状態に切り替えてコンタクト抵抗１５３−１、１５３−２の抵抗値ｒｃ、ｒｃを計測（例えば、算出）する。テストモードの切り替えは、例えば、ユーザーの操作により行われてもよく、または、装置により自動的に行われてもよい。
【００４１】
図８は、本発明の一実施形態（第１実施形態）に係る電気泳動表示装置のＣＯＭ電極２０１−１〜２０１−２の変形例（第１の変形例）を示す図である。
本変形例に係る２個のＣＯＭ電極２０１−１〜２０１−２は、図４に示される２個のＣＯＭ電極５１−１〜５１−２と比べて、主に、配置の仕方が異なっている。具体的には、図４に示される２個のＣＯＭ電極５１−１〜５１−２の並びの向き（例えば、横並びの向き）に対して、本変形例に係る２個のＣＯＭ電極２０１−１〜２０１−２の並びの向き（例えば、縦並びの向き）は、直交（または、略直交）している。なお、本変形例では、隔壁部の枠部分および導電剤の形状および配置は、本変形例に係る２個のＣＯＭ電極２０１−１〜２０１−２の形状および配置に応じて決められる。
【００４２】
図９は、本発明の一実施形態（第１実施形態）に係る電気泳動表示装置のＣＯＭ電極３０１−１〜３０１−４の変形例（第２の変形例）を示す図である。
本変形例に係る４個のＣＯＭ電極３０１−１〜３０１−４は、図４に示される２個のＣＯＭ電極５１−１〜５１−２と比べて、主に、数が異なっている。具体的には、図４の例では２個のＣＯＭ電極５１−１〜５１−２が並べられるが、本変形例では４個のＣＯＭ電極３０１−１〜３０１−４が並べられる。なお、本変形例では、隔壁部の枠部分および導電剤の形状および配置は、本変形例に係る４個のＣＯＭ電極３０１−１〜３０１−４の形状および配置に応じて決められる。また、本変形例では、例えば、４個のＣＯＭ電極３０１−１〜３０１−４のそれぞれが、図１に示される端子２２−１、端子２２−２、端子２２−（Ｎ−１）、端子２２−Ｎと接続される。
本変形例のように、４個のＣＯＭ電極３０１−１〜３０１−４が用いられる場合には、例えば、４端子法を用いて、コンタクト抵抗の抵抗値を計測することが可能である。
【００４３】
ここで、ＣＯＭ電極の数、形状、配置などとしては、様々な態様が用いられてもよい。例えば、ＣＯＭ電極の数は、２以上の任意の値であってもよい。
【００４４】
以上のように、本実施形態に係る電気泳動表示装置のコンタクト構造１では、画素基板における複数（本実施形態では、２個）の端子２２−１、２２−Ｎを、導通部材（配線２４−１、２４−２、ＣＯＭ電極５１−１、５１−２、導電部５２−１、５２−２）を介して、共通電極５４の異なる位置に接続した。なお、それぞれの端子２２−１、２２−Ｎと共通電極５４のそれぞれの接続点との間の導通部材（配線２４−１、２４−２、ＣＯＭ電極５１−１、５１−２、導電部５２−１、５２−２）は、異なる端子２２−１、２２−Ｎの間で、互いに物理的な接触（電気的な接触）が無いように配置されている。
【００４５】
また、本実施形態に係る電気泳動表示装置の隔壁部５３では、当該隔壁部５３の下層にＣＯＭ電極５１−１〜５１−２のパターンが存在しない領域においても、隔壁（図４の例では、２個の枠部分の間に挟まれた部分の隔壁）を形成してあり、これにより、隔壁の強度を確保してある。例えば、導電部５２−１〜５２−２の挿入精度を確保するためには、導電部５２−１〜５２−２と隔壁との間のスペースが大きい方が有利であると考えられるが、隔壁が存在しないと表示パネルの強度に影響があるため、本実施形態では、図４に示される構成が用いられている。なお、隔壁部５３の構成として、他の構成例が用いられてもよい。
【００４６】
以上のように、本実施形態に係る電気泳動表示装置では、画素基板に形成された電極（端子２２−１、２２−Ｎ）と共通電極５４との間のコンタクト抵抗の抵抗値を容易かつ簡易に計測することができる。これにより、画素基板に形成された電極（端子２２−１、２２−Ｎ）と共通電極５４とを電気的に導通させる導通部材（配線２４−１、２４−２、ＣＯＭ電極５１−１、５１−２、導電部５２−１、５２−２）の導通の信頼性を容易かつ簡易に確認（検査）することができる。
このように、本実施形態に係る電気泳動表示装置では、共通電極５４のコンタクト抵抗の抵抗値を直接計測することができる。
例えば、本実施形態に係る電気泳動表示装置では、計測専用の器具を追加しなくても、他の二次加工をしなくても、簡易な構成で、コンタクト抵抗を計測することが可能である。この結果、例えば、コンタクト抵抗の計測を工程検査に導入することができ、電気泳動表示装置の表示パネルの品質向上および歩留り向上を図ることができる。
【００４７】
ここで、本実施形態に関し、他の構成例を示す。
本実施形態では、図３および図４に示されるように、枠部分（図３および図４の例では、２個の枠部分）を有する隔壁部５３が構成され、つまり、すべての枠部分と隔壁３６とが一体となった隔壁部５３を形成した。
これに関し、他の構成例として、すべての枠部分を有する部材（枠部）と、隔壁３６を構成する部材（当該枠部を含まない隔壁部）とが、別体で構成されてもよい。
また、他の構成例として、複数個の枠部分が存在する場合、これら複数個の枠部分は、すべてが一体として構成されてもよく、または、それぞれが別体として構成されてもよく、または、一部が一体として構成されてもよい。また、この場合、一部の枠部分と隔壁３６とが一体として構成されてもよい。
【００４８】
本実施形態では、隔壁３６によって空間を複数の領域（セル）に区画する隔壁型の電気泳動表示装置を示した。
これに関し、他の構成例として、隔壁３６の代わりに、マイクロカプセル（図示せず）が用いられてもよい。すなわち、マイクロカプセルによって空間を複数の領域（セル）に区画するカプセル型の電気泳動表示装置が実施されてもよい。カプセル型では、例えば、複数のマイクロカプセルが形成された透明フィルムが、粘着剤などを用いて、画素基板と対向基板との間に設けられる。
カプセル型では、例えば、複数のマイクロカプセルが形成された透明フィルムとは別体で、複数個の枠部分が構成される。複数個の枠部分が存在する場合、これら複数個の枠部分は、すべてが一体として構成されてもよく、または、それぞれが別体として構成されてもよく、または、一部が一体として構成されてもよい。
【００４９】
（第２実施形態）
図１０〜図１２を参照して、本発明の実施形態に係る電子機器の概略的な構成例を示す。本実施形態では、以上の実施形態に係る電気泳動表示装置（第１実施形態に係る電気泳動表示装置）を適用した電子機器の具体例を示す。
【００５０】
図１０は、本発明の一実施形態（第２実施形態の第１の例）に係る電子機器の概略的な構成例を示す図である。
具体的には、図１０は、電子機器の一例である電子ブック５０１を示す斜視図である。
電子ブック５０１は、ブック形状のフレーム５１１と、以上の実施形態に係る電気泳動表示装置が適用された表示部５１２と、操作部５１３を備える。
【００５１】
図１１は、本発明の一実施形態（第２実施形態の第２の例）に係る電子機器の概略的な構成例を示す図である。
具体的には、図１１は、電子機器の一例である腕時計５５１を示す斜視図である。
腕時計５５１は、以上の実施形態に係る電気泳動表示装置が適用された表示部５６１を備える。
【００５２】
図１２は、本発明の一実施形態（第２実施形態の第３の例）に係る電子機器の概略的な構成例を示す図である。
具体的には、図１２は、電子機器の一例である電子ペーパー５７１を示す斜視図である。
電子ペーパー５７１は、紙と同様の質感および柔軟性を有するリライタブルシートで構成される本体部５８１と、以上の実施形態に係る電気泳動表示装置が適用された表示部５８２を備える。
【００５３】
なお、以上の実施形態に係る電気泳動表示装置は、他の様々な電子機器に適用されてもよく、例えば、携帯電話、携帯用オーディオ機器等の電子機器の表示部、マニュアル等の業務用シート、教科書、問題集、情報シートなどに適用されてもよい。
【００５４】
以上のように、本実施形態に係る電子機器では、以上の実施形態に係る電気泳動表示装置と同様な効果を得ることができる。
【００５５】
（以上の実施形態のまとめ）
一構成例として、共通電極（図２の例では、共通電極３５であり、図４の例では、共通電極５４）が形成された第１基板（図２の例では、対向基板３４）と、画素電極（図２の例では、画素電極３２）が形成され、複数の端子（図１の例では、端子２２−１〜２２−Ｎ）が設けられた第２基板（図２の例では、画素基板３１）と、第１基板と第２基板との間に設けられ、粒子（図２の例では、粒子４２、４３）および分散媒（図２の例では、分散媒４１）を含む分散液と、複数の端子のうちの２以上の端子（図１の例では、端子２２−１、２２−Ｎ）のそれぞれと共通電極の異なる点とを電気的に接続する２以上の接続部（図４の例では、ＣＯＭ電極５１−１〜５１−２）と、を備える電気泳動表示装置（図２の例では、電気泳動表示装置１１）である。
一構成例として、電気泳動表示装置において、２以上の端子のそれぞれと共通電極の異なる点のそれぞれとは、それぞれの導電部（図４の例では、導電部５２−１〜５２−２）を介して電気的に接続されており、それぞれの導電部は、開口部（枠の開口している部分）を有する枠部（枠の部分を有する部材）の当該開口部に配置されている。
一構成例として、電気泳動表示装置において、第１基板と第２基板との間に隔壁が配置され、隔壁（図２の例では、隔壁３６）で区画された領域（例えば、画素ごとのセル）に分散液が配置されている。
一構成例として、電気泳動表示装置において、第１基板と第２基板との間に複数個のマイクロカプセルが配置され、マイクロカプセルの中に分散液が配置されている。
一構成例として、電気泳動表示装置において、２以上の端子は、少なくとも複数の端子のうちの両端の２個の端子（図１の例では、端子２２−１、２２−Ｎ）を含む。
一構成例として、電気泳動表示装置において、２以上の端子の電位は、駆動される際に同じ電位である。
一構成例として、以上のような電気泳動表示装置を備える電子機器（例えば、図１０〜図１２に示される電子機器）である。
【００５６】
以上、この発明の実施形態について図面を参照して詳述してきたが、具体的な構成はこの実施形態に限られるものではなく、この発明の要旨を逸脱しない範囲の設計等も含まれる。
【００５７】
なお、以上に説明した装置（例えば、電気泳動表示装置、電子機器）における任意の構成部の機能を実現するためのプログラムを、コンピューター読み取り可能な記録媒体（記憶媒体）に記録（記憶）し、そのプログラムをコンピューターシステムに読み込ませて実行するようにしてもよい。なお、ここでいう「コンピューターシステム」とは、オペレーティングシステム（ＯＳ：Ｏｐｅｒａｔｉｎｇ  Ｓｙｓｔｅｍ）あるいは周辺機器等のハードウェアを含むものとする。また、「コンピューター読み取り可能な記録媒体」とは、フレキシブルディスク、光磁気ディスク、ＲＯＭ（Ｒｅａｄ  Ｏｎｌｙ  Ｍｅｍｏｒｙ）、ＣＤ（Ｃｏｍｐａｃｔ  Ｄｉｓｋ）−ＲＯＭ等の可搬媒体、コンピューターシステムに内蔵されるハードディスク等の記憶装置のことをいう。さらに「コンピューター読み取り可能な記録媒体」とは、インターネット等のネットワークあるいは電話回線等の通信回線を介してプログラムが送信された場合のサーバーやクライアントとなるコンピューターシステム内部の揮発性メモリー（ＲＡＭ：Ｒａｎｄｏｍ  Ａｃｃｅｓｓ  Ｍｅｍｏｒｙ）のように、一定時間プログラムを保持しているものも含むものとする。
また、上記のプログラムは、このプログラムを記憶装置等に格納したコンピューターシステムから、伝送媒体を介して、あるいは、伝送媒体中の伝送波により他のコンピューターシステムに伝送されてもよい。ここで、プログラムを伝送する「伝送媒体」は、インターネット等のネットワーク（通信網）あるいは電話回線等の通信回線（通信線）のように情報を伝送する機能を有する媒体のことをいう。
また、上記のプログラムは、前述した機能の一部を実現するためのものであってもよい。さらに、上記のプログラムは、前述した機能をコンピューターシステムにすでに記録されているプログラムとの組み合わせで実現できるもの、いわゆる差分ファイル（差分プログラム）であってもよい。
【符号の説明】
【００５８】
１、１０１１…コンタクト構造、１１…電気泳動表示装置、２１、１０２１…画素領域部、２２−１〜２２−Ｎ、１０２２−１〜１０２２−Ｍ…端子、２３、１０２３…ＣＯＭ電極部、２４−１〜２４−２…配線、３１…画素基板、３２…画素電極、３３…絶縁層、３４…対向基板、３５、５４…共通電極、３６…隔壁、４１…分散媒、４２、４３…粒子、５１−１〜５１−２、１０１〜１０２、１５１〜１５２、２０１−１〜２０１−２、３０１−１〜３０１−４、１１０１…ＣＯＭ電極、５２−１〜５２−２…導電部、５３…隔壁部、１０３、１１０２…配線、１０４、１５３−１〜１５３−２、１１０３…コンタクト抵抗、１５４…共通電極シート抵抗、１７１…電流計、１７２…電源、５０１…電子ブック、５１１…フレーム、５１２、５６１、５８２…表示部、５１３…操作部、５５１…腕時計、５７１…電子ペーパー、５８１…本体部、Ｐ１〜Ｐ２…点
【図１】
2017111323.tif 000003
【図２】
2017111323.tif 000004
【図３】
2017111323.tif 000005
【図４】
2017111323.tif 000006
【図５】
2017111323.tif 000007
【図６】
2017111323.tif 000008
【図７】
2017111323.tif 000009
【図８】
2017111323.tif 000010
【図９】
2017111323.tif 000011
【図１０】
2017111323.tif 000012
【図１１】
2017111323.tif 000013
【図１２】
2017111323.tif 000014
【図１３】
2017111323.tif 000015
【図１４】
2017111323.tif 000016